【手続補正書】
【提出日】平成28年4月1日(2016.4.1)
【手続補正１】
【補正対象書類名】明細書
【補正対象項目名】０１１４
【補正方法】変更
【補正の内容】
【０１１４】
（視聴者管理下のタグ）
- メニュ
このタグは、視聴者に提示される選択肢を示す。このタグに関連するデータは、選択肢が何であるか、および提示スタイルのような、他の興味のあるデータを示す。メニュは、関連した非動作タイムアウトを有する。
【手続補正２】
【補正対象書類名】明細書
【補正対象項目名】０１１５
【補正方法】変更
【補正の内容】
【０１１５】
メニュ・タグの考え方は、視聴者に選択肢を提供するということである。視聴者が存在しないまたは興味を持たないならば、メニュはすぐに消えるべきである。メニュ・ポリシにより、現在の番組を一時停止させることもさせないことも出来る。メニュの提示は、リストである必要はない。
-代替番組プッシュ条件（Push Alternate Program Conditional）
このタグは、ある代替番組がある条件を満たすならば、再生されるべきであることを示す。この条件は、ポリシ・モジュールによって分析される。条件が、常に満たされているとすることも出来る。
-代替番組ポップ条件（Pop Alternate Program Conditional）
このタグは、前の番組に戻る。番組が終わると、代替番組のスタックが自動的にポップされる。チャネルが変えられる、または視聴者がTiVo Centralメニュ領域に入ると、全ての代替番組が、ポップされる。代替番組は、視聴されているストリームに任意のシーケンスを挿入する方法である。条件データは、トップ・レベルでは評価されない。これに代えて、ポリシ・モジュールが、選択のためにこのデータを検討しなければならない。例えば、これは、「テレスコーピング」広告を作成するために使用することが出来る。
- インジケータ表示条件（Show Indicator Conditional）
このタグにより、インジケータがスクリーンに描かれる。インジケータには名前がつけられ、そしてアクティブ・インジケータの組は、いつでも問い合わせることが出来る。タグまたはタグ・ポリシは、インジケータが生成された時のタイムアウト値を示すことが出来る。
- インジケータ消去条件（Clear Indicator Conditional）
このタグにより、アクティブなインジケータが消去される。チャネルが変更され、または視聴者がTiVo Centralメニュ領域に入ると、全てのインジケータは、消去される。
【手続補正３】
【補正対象書類名】明細書
【補正対象項目名】０１５０
【補正方法】変更
【補正の内容】
【０１５０】
上述したように、嗜好エンジンを使用すると、リードまたはセール生成の間、視聴者に示される情報は、容易に特定の視聴者向けに適合化される。視聴者の視聴習慣、番組嗜好、および個人情報は、視聴者に提示される、メニュ、選択肢、およびスクリーンを選択するために使用される。各メニュ、選択肢、およびスクリーンは、視聴者の嗜好ベクトルと比較される関連した番組オブジェクトを有する。
【手続補正４】
【補正対象書類名】特許請求の範囲
【補正対象項目名】全文
【補正方法】変更
【補正の内容】
【特許請求の範囲】
【請求項１】
受信機で番組を備える放送ストリームを受信するステップと、
前記放送ストリーム内の前記番組を、前記受信機で視聴者に再生するステップと、
前記放送ストリーム内の１個以上のタグを、前記受信機で検出するステップであって、前記１個以上のタグが、前記番組内の特定ポイントで前記番組にアイコンを挿入するよう前記受信機に命令し、前記１個以上のタグが、更に、前記アイコンを表示する間に視聴者の入力を受信することに応じて表示するメニュを示す、ステップと、
前記１個以上のタグを検出することに応答して、前記受信機が、前記番組内の前記特定ポイントで前記アイコンを表示するステップと、
前記受信機で、前記アイコンを表示することに応答する視聴者の入力を、受信するステップと、
前記視聴者の入力を受信することに応答して、前記受信機が、
前記番組の前記再生を一時停止し、
前記１個以上のタグによって示された前記メニュを表示し、
前記番組の前記再生を一時停止している間に、視聴者の前記メニュとの対話を受信し、
前記受信機で前記番組の前記再生を再開する、
ステップとを、
備える方法。
【請求項２】
前記番組の前記再生を再開することが、前記番組の前記再生が一時停止されたポイントで前記再生を再開することにより行われる、請求項１に記載の方法。
【請求項３】
前記番組の前記再生を再開することが、視聴者の第二の入力を受信することに応答して行われる、請求項１に記載の方法。
【請求項４】
前記番組の前記再生を再開することが、前記視聴者の前記メニュとの対話が完了していることを示すコマンドを受信した後に行われる、請求項１に記載の方法。
【請求項５】
前記受信機が、前記視聴者の入力を受信することに応答して、前記視聴者の前記メニュとの対話から収集された情報を、放送者または製造者に送信するステップを更に備える、請求項１に記載の方法。
【請求項６】
前記１個以上のタグが、前記メニュに埋め込まれている、請求項１に記載の方法。
【請求項７】
前記受信機が、前記受信機での視聴者の視聴習慣、番組嗜好または個人情報の内の１個以上に基づいて、前記メニュまたは前記メニュ内の選択肢を選択するステップを更に備える、請求項１に記載の方法。
【請求項８】
前記１個以上のタグが、番組オブジェクト識別子を含み、前記メニュが、前記番組オブジェクト識別子に対してレコーディングを予約する選択肢を含む、請求項１に記載の方法。
【請求項９】
前記受信機が、非動作タイムアウト時間後は前記メニュの表示を停止する、請求項１に記載の方法。
【請求項１０】
前記メニュが、現在表示されている広告についてより多くの情報を視聴する選択肢、または前記現在表示されている広告に関係するビデオ・ストリームを見る選択肢の内の１個以上を含む、請求項１に記載の方法。
【請求項１１】
受信機で番組を備える放送ストリームを受信させる、少なくとも部分的にハードウェアで実行される受信ロジックと、
前記放送ストリーム内の前記番組を、前記受信機で視聴者に再生させる、少なくとも部分的にハードウェアで実行される再生ロジックと、
前記放送ストリーム内の１個以上のタグを、前記受信機で検出させるタグ検出ロジックであって、前記１個以上のタグが、前記番組内の特定ポイントで前記番組にアイコンを挿入するよう前記受信機に命令し、前記１個以上のタグが、更に、前記アイコンを表示する間に視聴者の入力を受信することに応じて表示するメニュを示す、タグ検出ロジックと、
前記１個以上のタグを検出することに応答して、前記受信機が、前記番組内の前記特定ポイントで前記アイコンを表示させる表示ロジックと、
前記受信機で、前記アイコンを表示することに応答する視聴者の入力を、受信させる視聴者インタフェース・ロジックと、
を備える装置であって、
前記再生ロジックが、前記視聴者の入力を受信することに応答して、前記受信機に、前記番組の前記再生を一時停止させ、
前記表示ロジックが、前記視聴者の入力を受信することに応答して、前記受信機に、前記１個以上のタグによって示された前記メニュを表示させ、かつ
前記再生ロジックが、前記受信機で前記番組の前記再生を再開させる、
装置。
【請求項１２】
前記番組の前記再生を再開することが、前記番組の前記再生が一時停止されたポイントで前記番組の再生を再開することにより行われる、請求項１１に記載の装置。
【請求項１３】
前記視聴者インタフェース・ロジックが、更に、ユーザの第二の入力を受信させ、前記番組の前記再生を再開することが、前記視聴者の第二の入力を受信することに応答して行われる、請求項１１に記載の装置。
【請求項１４】
前記受信ロジックが、更に、前記視聴者の前記メニュとの対話が完了していることを示すコマンドを受信させ、前記番組の前記再生を再開することが、前記視聴者の前記メニュとの対話が完了していることを示す前記コマンドを受信した後に行われる、請求項１１に記載の装置。
【請求項１５】
前記ユーザの入力を受信することに応答して、前記受信機に、前記視聴者の前記メニュとの対話から収集された情報を、放送者または製造者に送信させる送信ロジックを更に備える、請求項１１に記載の装置。
【請求項１６】
前記１個以上のタグが、前記メニュに埋め込まれている、請求項１１に記載の装置。
【請求項１７】
前記受信機での視聴者の視聴習慣、番組嗜好または個人情報の内の１個以上に基づいて、前記メニュまたは前記メニュ内の選択肢を前記受信機に選択させるメニュ個人化ロジックを更に備える、請求項１１に記載の装置。
【請求項１８】
前記１個以上のタグが、番組オブジェクト識別子を含み、前記メニュが、前記番組オブジェクト識別子に対してレコーディングを予約する選択肢を含む、請求項１１に記載の装置。
【請求項１９】
前記受信機が、非動作タイムアウト時間後は前記メニュの表示を停止する、請求項１１に記載の装置。
【請求項２０】
前記メニュが、現在表示されている広告についてより多くの情報を視聴する選択肢、または前記現在表示されている広告に関係するビデオ・ストリームを見る選択肢の内の１個以上を含む、請求項１１に記載の装置。
【請求項２１】
１つ以上のプロセッサにより実行させると、次のステップ、
受信機で番組を備える放送ストリームを受信するステップ、
前記放送ストリーム内の前記番組を、前記受信機で視聴者に再生するステップ、
前記放送ストリーム内の１個以上のタグを、前記受信機で検出するステップであって、前記１個以上のタグが、前記番組内の特定ポイントで前記番組にアイコンを挿入するよう前記受信機に命令し、前記１個以上のタグが、更に、前記アイコンを表示する間に視聴者の入力を受信することに応じて表示するメニュを示す、ステップ、
前記１個以上のタグを検出することに応答して、前記受信機が、前記番組内の前記特定ポイントで前記アイコンを表示するステップ、
前記受信機で、前記アイコンを表示することに応答する視聴者の入力を、受信するステップ、
前記視聴者の入力を受信することに応答して、前記受信機が、
前記番組の前記再生を一時停止し、
前記１個以上のタグによって示された前記メニュを表示し、
前記番組の前記再生を一時停止している間に、視聴者の前記メニュとの対話を受信し、
前記受信機で前記番組の前記再生を再開する、
ステップ
を実行させる命令を格納するコンピュータ読み取り可能な非一時的媒体。
【請求項２２】
前記番組の前記再生を再開することが、前記番組の前記再生が一時停止されたポイントで前記再生を再開することにより行われる、請求項２１に記載の非一時的媒体。
【請求項２３】
前記番組の前記再生を再開することが、視聴者の第二の入力を受信することに応答して行われる、請求項２１に記載の非一時的媒体。
【請求項２４】
前記番組の前記再生を再開することが、前記視聴者の前記メニュとの対話が完了していることを示すコマンドを受信した後に行われる、請求項２１に記載の非一時的媒体。
【請求項２５】
前記受信機が、前記視聴者の入力を受信することに応答して、前記視聴者の前記メニュとの対話から収集された情報を、放送者または製造者に送信するステップを更に備える、請求項２１に記載の非一時的媒体。
【請求項２６】
前記１個以上のタグが、前記メニュに埋め込まれている、請求項２１に記載の非一時的媒体。
【請求項２７】
前記受信機が、前記受信機での視聴者の視聴習慣、番組嗜好または個人情報の内の１個以上に基づいて、前記メニュまたは前記メニュ内の選択肢を選択するステップを更に備える、請求項２１に記載の非一時的媒体。
【請求項２８】
前記１個以上のタグが、番組オブジェクト識別子を含み、前記メニュが、前記番組オブジェクト識別子に対してレコーディングを予約する選択肢を含む、請求項２１に記載の非一時的媒体。
【請求項２９】
前記受信機が、非動作タイムアウト時間後は前記メニュの表示を停止する、請求項２１に記載の非一時的媒体。
【請求項３０】
前記メニュが、現在表示されている広告についてより多くの情報を視聴する選択肢、または前記現在表示されている広告に関係するビデオ・ストリームを見る選択肢の内の１個以上を含む、請求項２１に記載の非一時的媒体。